(57)【要約】【課題】  本発明の課題は、ビール製造工程において仕込濾過槽内の麦芽粕を容易且つ確実に採取することができるサンプル採取器を提供することである。【解決手段】  本発明のサンプル採取器１は、ビール製造工程における仕込濾過槽２内の麦芽粕４を採取するサンプリング容器５とアーム３と、アーム３とサンプリング容器５とを回動可能に連結する連結具７とを備え、連結具７はサンプリング容器５の取っ手９に固定した取付部材１１と、アーム３の先端を取付部材１１に回動可能に連結するようにした。【選択図】      図１
2005227063.tif 000002
【特許請求の範囲】
【請求項１】
ビール製造工程における仕込濾過槽内の麦芽粕を採取するサンプリング容器とアームと、アームとサンプリング容器とを回動可能に連結する連結具とを備えたことを特徴とするサンプル採取器。
【請求項２】
連結具はサンプリング容器の取っ手に固定した取付部材と、アームの先端を取付部材に回動可能に連結した枢着軸とを備えたことを特徴とする請求項１に記載のサンプル採取器。
【請求項３】
枢着軸はサンプリング容器及び取付部材の重心よりも上側に設けられていることを特徴とする請求項２に記載のサンプル採取器。
【請求項４】
アームは中空円筒状のアルミニウム製であることを特徴とする請求項１〜３の何れか一項に記載のサンプル採取器。
【請求項５】
アームは伸縮自在であることを特徴とする請求項１〜４の何れか一項に記載のサンプル採取器。
【発明の詳細な説明】
【技術分野】
【０００１】
本発明は、麦芽粕等を採取するするサンプル採取器に関する。
【背景技術】
【０００２】
従来、ビール製造工程においては、濾過終了後における仕込濾過槽内の麦芽粕の状態を把握するため、サンプル採取器を用いて採取口から麦芽粕を採取しており、この場合、仕込濾過槽内の各地点から麦芽粕を採取している。
【０００３】
一方、特許文献１に記載の従来技術では、サンプル採取器において、アームの先端にサンプリング容器を取り付けた技術が開示されている。
【０００４】
【特許文献１】実開平６−５１８６８号公報
【発明の開示】
【発明が解決しようとする課題】
【０００５】
しかし、上述の特許文献１に記載の従来技術では、サンプリング容器がアームの先端に固定されているため、採取口から離れた位置にある麦芽粕をサンプリングする場合には、サンプリング容器が麦芽粕層に対して斜めになり、麦芽粕を容器内に取り込み難いという問題がある。一方、サンプリング容器を濾過槽から取り出す際にも、サンプリング容器が斜めになって採取した麦芽粕がこぼれ易いという問題がある。
【０００６】
そこで本発明は、ビール製造工程において仕込濾過槽内の麦芽粕を容易且つ確実に採取することができるサンプル採取器を提供することを目的とする。
【課題を解決するための手段】
【０００７】
前記課題を解決するために、請求項１に記載された発明は、ビール製造工程における仕込濾過槽内の麦芽粕を採取するサンプリング容器とアームと、アームとサンプリング容器とを回動可能に連結する連結具とを備えたことを特徴とする。
【０００８】
請求項２に記載された発明は、請求項１に記載の発明において、連結具はサンプリング容器の取っ手に固定した取付部材と、アームの先端を取付部材に回動可能に連結した枢着軸とを備えたことを特徴とする。
【０００９】
請求項３に記載された発明は、請求項２に記載の発明において、枢着軸はサンプリング容器及び取付部材の重心よりも上側に設けられていることを特徴とする。
【００１０】
請求項４に記載された発明は、請求項１〜３の何れか一項に記載の発明において、アームは中空円筒状のアルミニウム製であることを特徴とする。
【００１１】
請求項５に記載された発明は、請求項１〜４の何れか一項に記載の発明において、アームは伸縮自在であることを特徴とする。
【発明の効果】
【００１２】
請求項１に記載の発明によれば、仕込濾過槽内の麦芽粕を採取する場合は、アームを濾過槽内に挿入して、サンプリング容器を濾過槽内の麦芽粕層内へ押し込み、麦芽粕を採取する。サンプリング容器内に麦芽粕が入った後、アームを上方に引き上げて、アームを濾過槽内から取り出してサンプリングが終了する。
【００１３】
アームとサンプリング容器とが連結具により回動可能に連結されているので、麦芽粕の採取中は麦芽粕層の上面の位置でサンプリング容器が水平姿勢の状態となり、麦芽粕がサンプリング容器内に入り易い。また、麦芽粕の採取終了後はサンプリング容器を持ち上げると、サンプリング容器が水直姿勢になるので、サンプリング容器から麦芽粕がこぼれ難く、確実に麦芽粕を採取できる。
【００１４】
請求項２に記載された発明によれば、請求項１に記載された発明と同様の効果が得られるとともに、取付部材はサンプリング容器の取っ手に固定されているので、既存の容器を利用して後付けによる加工が容易にできる。
【００１５】
請求項３に記載の発明によれば、請求項２に記載された発明と同様の効果を得られるとともに、枢着軸がサンプリング容器及び取付部材の重心よりも上側に固定されているので、麦芽粕の採取後にサンプリング容器を持ち上げたときには、麦芽粕の重みによりサンプリング容器が垂直の姿勢になり易く、麦芽粕がサンプリング容器からこぼれ難い。
【００１６】
請求項４に記載された発明によれば、請求項１〜３の何れか一項に記載された発明と同様の効果が得られるとともに、アームが中空円筒状のアルミニウム製なので、軽量化を図ることができるとともに、熱伝導率が高いので、濾過槽内で熱くなったアームが取り出し直後に冷め易く、安全である。
【００１７】
請求項５に記載された発明によれば、請求項１〜４の何れか一項に記載された発明と同様の効果が得られるとともに、アームが伸縮自在なので、採取口の近くにある麦芽粕を採取する場合はアームを短くし、採取口から離れた位置の麦芽粕を採取する場合はアームを長くして使用でき、取り扱いがし易い。
【発明を実施するための最良の形態】
【００１８】
以下、図面を参照しながら本発明の一実施形態について説明する。図１は本発明の実施の形態に係るサンプル採取器の主要部を概略的に示す斜視図、図２は図１に示すサンプル採取器の使用状態を示す図であり、麦芽粕の採取中を示す側面図、図３は図１に示すサンプル採取器の使用状態を示す図であり、麦芽粕の採取終了後を示す側面図、図４は濾過槽の全体図を示す断面図である。
【００１９】
図１に示すように、本発明の実施の形態に係るサンプル採取器１は、ビール製造工程の濾過槽（仕込濾過槽）２において、濾過終了後の麦芽粕４の状態を把握するために麦芽粕４の採取に用いるものであり、中空円筒状のアルミニウム製からなるアーム３と、濾過槽２内の麦芽粕４を採取する樹脂製のサンプリング容器５と、アーム３とサンプリング容器５とを回動可能に連結する連結具７とを備えている。
【００２０】
連結具７はサンプリング容器５の取っ手９に設けられる取付部材１１と、アーム３の先端を取付部材１１に回動可能に連結した枢着軸１３とを備え、枢着軸１３はサンプリング容器５及び取付部材１１の重心よりも上側（容器入口側）に設けられている。また、枢着軸１３の軸方向における略中央には枢着軸１３に対して溶接固定した垂直軸１５が設けられており、垂直軸１５はアーム３の先端に形成された取付孔に挿入されてねじ固定されている。
【００２１】
取付部材１１は２枚の金属板からなり、サンプリング容器５の取っ手９を金属板で両側から挟んでボルトとナットにより固定している。このように、取付部材１１がサンプリング容器５の取っ手９に固定されているので、既存の容器を利用して後付けによる加工ができる。
【００２２】
次に上述の構成を基に本実施の形態に係るサンプル採取器の作用について説明する。ビール製造工程における濾過槽２内の麦芽粕４を採取する場合、採取口６からアーム３を挿入して、サンプリング容器５を濾過槽２内の麦芽粕層内へ押し込み、麦芽粕４を採取する。サンプリング容器５内に麦芽粕４が入った後、アーム３を上方に引き上げて、アーム３を濾過槽２内から引き出してサンプリングが終了する。
【００２３】
アーム３とサンプリング容器５とが連結具７により回動可能に連結されているので、麦芽粕４の採取中は麦芽粕層の上面の位置でサンプリング容器５が水平姿勢になり、麦芽粕４がサンプリング容器５内に入り易い。また、麦芽粕４の採取終了後はサンプリング容器５を持ち上げると、サンプリング容器５が水直姿勢になるので、サンプリング容器５から麦芽粕４がこぼれ難く、確実に麦芽粕４を採取できる。
【００２４】
また、枢着軸１３が容器の重心よりも上側に固定されているので、麦芽粕４の採取後にサンプリング容器５を持ち上げたときには、麦芽粕４の重みによりサンプリング容器５が略垂直の姿勢になり易く、さらに麦芽粕４がサンプリング容器５からこぼれ難い。
【００２５】
アーム３が中空円筒状のアルミニウム製なので、軽量化を図ることができるとともに、熱伝導率が高いので、濾過槽２内で熱くなったアーム３が取り出し直後に冷め易く、安全である。
【００２６】
なお、本発明は上述した実施の形態に限定されず、その要旨を逸脱しない範囲で種々の変形が可能である。図５に示す変形例では、アーム３を伸縮自在に設けている。このように、アーム３が伸縮自在なので、採取口６の近くにある麦芽粕４を採取する場合はアーム３を短くし、採取口６から離れた位置の麦芽粕４を採取する場合はアーム３を長くして使用でき、取り扱いがし易い。
【図面の簡単な説明】
【００２７】
【図１】本発明の実施の形態に係るサンプル採取器の主要部を概略的に示す斜視図である。
【図２】図１に示すサンプル採取器の使用状態を示す図であり、麦芽粕の採取中を示す側面図である。
【図３】図１に示すサンプル採取器の使用状態を示す図であり、麦芽粕の採取終了後を示す側面図である。
【図４】濾過槽の全体図を示す断面図である。
【図５】変形例に係るサンプル採取器を示す側面図である
【符号の説明】
【００２８】
１        サンプル採取器
２        濾過槽（仕込濾過槽）
３        アーム
５        サンプリング容器
７        連結具
９        取っ手
１１      取付部材
１３      枢着軸
【図１】
2005227063.tif 000003
【図２】
2005227063.tif 000004
【図３】
2005227063.tif 000005
【図４】
2005227063.tif 000006
【図５】
2005227063.tif 000007